【事件の表示】
　特許第２９０１０８２号「印刷機」の請求項１ないし５に係る発明の特許に対する特許異議の申立てについて、次のとおり決定する。
【結　論】
　特許第２９０１０８２号の請求項１ないし５に係る発明の特許を取り消す。
【理　由】
［手続の経緯］
　本件特許第２９０１０８２号の請求項１〜５に係る発明の出願は、平成１年１２月２２日に特許出願され、平成１１年３月１９日にその特許の設定登録がなされ、その後、その特許について海保洋一より特許異議の申立がなされ、当審において取消理由の通知がなされたところ、その指定期間内である平成１２年９月１８日に特許異議意見書が提出されたものである。
　　　　　
　　　　　
［異議申立］
【１】請求項１〜５に係る発明
　本件特許第２９０１０８２号の請求項１〜５に係る発明（以下、それぞれ、「本件発明１〜５」といい、それらをまとめた場合、「本件発明」という。）は、特許明細書の特許請求の範囲の請求項１〜５に記載されたとおりのものであり、その請求項１〜５に記載された事項を構成要素毎に分説して記載すると、以下のとおりである。（但し、符号（Ａ）〜（Ｇ），（Ａ−１）〜（Ａ−３）は、異議申立書の異議申立理由の記載に基づいて当審において付した。）
　「【請求項１】
（Ａ）ドラム部上の使用済みのマスターを排版し、新規マスターをドラム部に巻き付ける製版プロセス（Ａ−１）と、給紙部からの用紙にマスター上に形成された画像を印刷する印刷プロセス（Ａ−２）とを操作部により選択実行する印刷機（Ａ−３）において、
（Ｂ）ドラム部に巻回されたマスターを検知する検知手段と、
（Ｃ）前記操作部から製版プロセスが選択された場合、前記検知手段によって前記ドラム部に使用済みマスターが巻回されていることを検知したときには、排版動作を指示する制御手段と、を備えたことを特徴とする印刷機。
　【請求項２】
（Ｄ）前記制御手段は、前記操作部から製版プロセスが選択され、前記排版動作が完了した後、ドラム部にマスターが残っていないことを検知したときには、製版動作を指示することを特徴とする請求項１記載の印刷機。
　【請求項３】
（Ｅ）前記制御手段は、前記排版動作後にまだ使用済みマスターが巻回されていることを検知したときは警告表示を行うとともに製版動作が停止させることを特徴とする請求項２記載の印刷機。
　【請求項４】
（Ｆ）前記制御手段は、前記操作部から印刷プロセスが選択された場合、前記検知手段によって前記ドラム部にマスターが巻回されていることを検知したときには、印刷動作を指示することを特徴とする請求項１記載の印刷機。
　【請求項５】
（Ｇ）前記制御手段は、前記操作部から印刷プロセスが選択された場合、前記検知手段によって前記ドラム部にマスターが巻回されていることを検知できなかったときには、警告表示を行うとともに印刷動作を停止させることを特徴とする請求項１記載の印刷機。」　
　　　　　　
【２】取消理由（特許法第２９条第１，２項違反）
〔１〕取消理由の概要
　当審が平成１２年６月２８日付け取消理由通知書で通知した取消理由は、刊行物１〔特開平１−２１７３６９号公報（異議申立書の甲第１号証）〕，刊行物２〔特開昭５７−１５９６７号公報（同、甲第２号証）〕，刊行物３〔実願昭６１−１９６６３号（実開昭６２−１３１８５４号）のマイクロフィルム（同、甲第３号証）〕，刊行物４〔（社）日本印刷学会編，技報堂出版（株），昭和５８年５月１日発行，「印刷工学便覧」，「１７．３．２　謄写印刷」の項参照（同、参考資料）〕を引用し、
　本件発明１は、刊行物１に記載された発明と実質的に同一のもの（刊行物４の記載事項を参酌、以下同様。）と認められ、また、本件発明２は、刊行物１に記載された発明と実質的に同一のもの或いは刊行物１に記載された発明に刊行物２に記載された技術を適用することにより当業者が容易に発明をすることができたものと認められ、また、本件発明３は、刊行物１に記載された発明に刊行物２に記載された技術を適用することにより当業者が容易に発明をすることができたものと認められ、さらに、本件発明４，５は、刊行物１に記載された発明と実質的に同一のもの（刊行物３の記載事項を参酌。）と認められるから、
　本件発明１〜５は、特許法第２９条第１項第３号に規定する発明に該当し、或いは、同法第２９条第２項の規定に違反してされたものであり、本件発明１〜５に係る特許は、取り消されるべきものであるというものである。　
　　　　　
〔２〕各刊行物の記載事項
（１）刊行物１〔特開平１−２１７３６９号公報〕
　刊行物１には、光学系３，複写部４，製版部５，印刷部６等から構成され、原稿画像からの画像信号に基づき版用紙に該原稿画像に対応する穿孔を形成して印刷用版を作成する、即ち、製版プロセスを実行する製版手段と、穿孔された印刷用版を用いて印刷用紙に印刷動作を行う、即ち、印刷プロセスを実行する印刷手段とを備えた印刷装置に関する発明が記載されており、そして、製版プロセスを実行する製版手段、印刷プロセスを実行する印刷手段、及び、印刷装置全体の制御手段に関して、詳細には、次の事項が図面とともに記載されている。
　〈製版プロセスを実行する製版手段に関して〉
（ア）「（１）光学系３　光学系３は、原稿台３１１上に載置される原稿を露光走査して、その像を感光体ドラム４０１に伝送する機構である。光学系３は、露光ランプ３０１、第１ミラー３０２、第２ミラー３０３、第３ミラー３０４、レンズブロック３０５、第４ミラー３０６、及びディジタル系とアナログ系とを切り換えるための切り換えミラー３５１を有する。・・・かかる光学系３によると、原稿台３１１上に載置され、原稿台カバー３１２で覆われた原稿の原稿像は、第１ミラー３０２、第２ミラー３０３、第３ミラー３０４で順次反射された後、レンズブロック３０５を通過し、第４ミラー３０６で反射されて感光体ドラム４０１の表面に至り、結像する。なお、切り換えミラー３５１が図の一点鎖線の位置にあるとき（ディジタル系選択時）は、伝送された光像は該ミラー３５１で反射されて、ＣＣＤイメージセンサ５５１（以下、ＣＣＤ５５１と記す）に至り結像する。」（２頁右下欄８行〜３頁左上欄２０行）
（イ）「（３）製版部５　製版部５は、ＣＣＤ５５１から送信される画像信号・・・に基づいてサーマルヘッド５５２を駆動し、原稿画像に対応する穿孔を版用紙に形成するための機構である。製版部５は、製版用紙を収納する用紙収納カセット５０１、該カセット５０１から版用紙を引き出すためのローラ５０２、用紙をサーマルヘッド５５２−プラテン５０４間へ所定のタイミングで送出する第１タイミングローラ対５０３、画像を穿孔された版用紙を印刷ベルト５３１へ所定のタイミングで巻きつける第２タイミングローラ対５０５、版用紙の通過を検出するセンサ５２１、印刷ベルト５３１を駆動する印刷ドラム５３２、インキングを行うインキングローラ５３３、版用紙を印刷ベルト５３１から分離する分離爪５３４、使用済の版用紙を収納する収納ボックス５３５を有する。」（３頁左下欄５行〜右下欄４行）
（ウ）「（３）ＣＰＵ３（第６図）　ＣＰＵ３は製版部５を制御するＣＰＵであり、例えば電源のＯＮにより処理をスタートし、まず初期状態を設定し（Ｓ４１）、また、入出力をアクティブとする（Ｓ４３）。ステップＳ４５で内部タイマをスタートする。次に、製版モード表示ＬＥＤ１０３ｂがＯＮされて製版モードが設定されていることを条件として（Ｓ４７；ＹＥＳ）、自動露光読取処理サブルーチン（Ｓ４９）、製版動作処理サブルーチン（Ｓ５１）をコールする。また、その他の処理を実行する（Ｓ５３）。その後、前記ステップＳ４５でセットした内部タイマの終了を待って（Ｓ５５；ＹＥＳ）、ステップＳ４５に戻り、処理を繰り返す。各サブルーチンステップＳ４９、Ｓ５１については、後述する。」（５頁左下欄１６行〜右下欄１２行）
（エ）「（４）自動露光読取処理（第１２図）　自動露光読取処理は、ＣＰＵ３の処理でコールされるサブルーチン（第６図；Ｓ４９）であり、製版モードの設定を条件として（第６図；Ｓ４７参照）、実行される処理である。・・・即ち、光学系が走査を実行していないことを条件として（Ｓ４１１；ＮＯ）、ディジタル光学系を選択する（Ｓ４１３）。具体的には、感光体ドラム４０１の前方に配置されている切り換えミラー３５１を、第１図の一点鎖線の位置に起こすべく、該ミラー３５１を作動するアクチュエータ・・・の駆動回路への制御信号を発生する。また、光学系３を制御するＣＰＵ２へ送信すべきスキャン信号を発生する（Ｓ４１５）。・・・次に、光学系を制御するＣＰＵ２からのタイミング信号のＯＮエッジが検出される（Ｓ４１７；ＹＥＳ）と、ＣＣＤ５５１による画像サンプリングを開始する（Ｓ４１９）。・・・その後、光学系を制御するＣＰＵ２からのリターン信号のＯＮエッジが検出される（Ｓ４２１；ＹＥＳ）と、ＣＣＤ５５１による画像サンプリングを終了する（Ｓ４２３）。・・・さらに、製版開始フラグをセットして製版動作に備えるとともに、製版予備走査フラグをリセットする（Ｓ４２９）。」（８頁左下欄１０行〜９頁左上欄１６行）
（オ）「（５）製版動作処理（第１３図）　製版動作処理は、ＣＰＵ３の処理でコールされるサブルーチン（第６図；Ｓ５１）であり、製版開始フラグのセットを条件として（第１２図；Ｓ４０７，または、Ｓ４２９参照）、実行される処理である。製版開始フラグがセットされている場合（Ｓ５０１；ＹＥＳ）は、まず、版無し警告表示ＬＥＤ１０４ｃを判定する（Ｓ５０３）。版無し警告表示ＬＥＤ１０４ｃがＯＦＦであれば（Ｓ５０３；ＹＥＳ）、旧版の廃棄を開始し、タイマＨ１をスタートし、廃棄中フラグをセットし、また、版無し警告表示ＬＥＤ１０４ｃをＯＮする（Ｓ５０５）。タイマＨ１は、旧版の廃棄動作の継続時間を規定するタイマである。ステップＳ５０７では、タイマＨ１の終了を判定し、終了した場合（Ｓ５０７；ＹＥＳ）は、旧版の廃棄動作を終了し、また、廃棄中フラグをリセットする（Ｓ５０９）。廃棄中フラグがリセットされた場合（Ｓ５１１；ＹＥＳ）は、ディジタル光学系を選択するとともに、製版開始フラグをリセットする（Ｓ５１３）。ディジタル光学系の選択は、具体的には、感光体ドラム４０１の前方に配置されている切り換えミラー３５１を、第１図の一点鎖線の位置に起こすべく、該ミラー３５１を作動するアクチュエータ・・・の駆動回路への制御信号を発生することによって行う。また、用紙カセット５０１からの新しい版用紙の給紙を開始するとともに、タイマＨ２をスタートする（Ｓ５１５）。タイマＨ２は、スキャン信号の発生時刻を規定するタイマである。タイマＨ２の終了で（Ｓ５１７；ＹＥＳ）、光学系を制御するＣＰＵ２へのスキャン信号を発生する（Ｓ５１９）。ＣＰＵ２では・・・該スキャン信号に対応して、走査処理が開始される（第５図；Ｓ２７、Ｓ２９参照）。次に、光学系を制御するＣＰＵ２からのタイミング信号のＯＮエッジが検出される（Ｓ５２１；ＹＥＳ）と、製版タイミングローラ５０３のクラッチをＯＮして給紙を開始するとともに、サーマルヘッド５５２をＯＮし、また、ＣＣＤ５５１からの画像信号・・・の転送を開始する（Ｓ５２３）。その後、ＣＰＵ２からのリターン信号のＯＮエッジが検出される（Ｓ５２５；ＹＥＳ）と、画像信号の転送を終了し、サーマルヘッド５５２をＯＦＦし、また、製版タイミングローラ５０３のクラッチをＯＦＦする（Ｓ５２７）。一方、版先端検出センサ５２１のＯＮエッジ（Ｓ５２９；ＹＥＳ）で、印刷ドラム５３２の駆動を開始し、また、タイマＨ３をスタートする（Ｓ５３１）。タイマＨ３は、インキングの開始時刻を規定するタイマである。」（９頁左上欄１９行〜右下欄１３行）
　〈印刷プロセスを実行する印刷手段に関して〉
（カ）「（４）印刷部６  印刷部６は、印刷用紙を収納する用紙収納カセット６０１、該カセット６０１から用紙を引き出すためのローラ６０２、引き出された用紙を搬送するローラ対６０３、搬送された用紙を所定のタイミングで印刷ベルト５３１−圧接ローラ６０５間へ送出するタイミングローラ対６０４、画像を印刷された用紙を印刷ベルト５３１から分離する分離爪６０７、分離された用紙を外部へ排出するローラ対６０６、排出された印刷用紙を収納するトレイ６０８を有する。」（３頁右下欄５〜１５行）
（キ）「（４）ＣＰＵ４（第７図）　ＣＰＵ４は印刷部６を制御するＣＰＵであり、例えば電源のＯＮにより処理をスタートし、まず初期状態を設定し（Ｓ６１）、また、入出力をアクティブとする（Ｓ６３）。ステップＳ６５で内部タイマをスタートする。また、印刷動作処理サブルーチン（Ｓ６７）をコールし、その他の処理を実行する（Ｓ６９）。その後、前記ステップＳ６５でセットした内部タイマの終了を待って（Ｓ７１；ＹＥＳ）、ステップＳ６５に戻り、処理を繰り返す。サブルーチンステップＳ６７については、後述する。」（５頁右下欄１３行〜６頁左上欄５行）
（ク）「（６）印刷動作処理（第１４図）　印刷動作処理は、ＣＰＵ４の処理でコールされるサブルーチン（第７図；Ｓ６７）であり、印刷部６での動作を制御するルーチンである。ステップＳ６０１では、印刷ベルト５３１上に版が有るか否かが判定される。印刷ベルト５３１上に版が無い場合（Ｓ６０１；ＮＯ）には、版無し警告表示ＬＥＤ１０４ｃをＯＮする（Ｓ６０３）。印刷ベルト５３１上に版が有り（Ｓ６０１；ＹＥＳ）、かつ、印刷モードが設定されている場合（Ｓ６０５；ＹＥＳ）には、スタートフラグを判定する（Ｓ６０７）。ステップＳ６０７での判定の結果、スタートフラグがセットされている場合には、スタートフラグをリセットするとともに、印刷開始フラグをセットする（Ｓ６０９）。印刷開始フラグのセットに対応して、印刷用紙の給紙口として、カセット６０１の給紙口を選択する（Ｓ６１３）。ステップＳ６１５で、印刷処理を実行する。」（１０頁左上欄５行〜右上欄５行）
　〈印刷装置全体の制御手段に関して〉
（ケ）「第２図は、上記実施例にかかる複写印刷装置の操作パネルの説明図である。操作パネル１００は、実施例装置の原稿台３１１の近傍に配置されている。パネル１００上には、・・・製版モードの設定を指令するための製版指令キー１０３、該キー１０３が押されたことを表示する製版指令表示ＬＥＤ１０３ａ、製版モードが設定されたことを表示する製版モード表示ＬＥＤ１０３ｂ、印刷モードの設定を指令するための印刷指令キー１０４、該キー１０４が押されたことを表示する印刷指令表示ＬＥＤ１０４ａ、印刷モードが設定されたことを表示する印刷モード表示ＬＥＤ１０４ｂ、印刷モード時に版が無し場合に警告する版無し警告表示ＬＥＤ１０４ｃ、・・・複写（製版、印刷、予備走査）動作の開始を指令するためのスタートキー１６１・・・等が配置されている。」（３頁右下欄１７行〜４頁右上欄１５行）
（コ）「｛制御回路の説明｝　第３図は、上記実施例にかかる複写印刷装置の制御回路の概略構成を示すブロック図である。制御回路は、ＣＰＵ１、ＣＰＵ２、ＣＰＵ３、ＣＰＵ４、ＲＡＭ１、ＲＡＭ２を主体として構成される。各ＣＰＵ及びＲＡＭは、双方向バスによって接続され、相互に通信を行ないつつ各種制御を実行する。・・・ＣＰＵ３は、製版部５の作動を制御するＣＰＵであり、製版部５の各所に設置されたセンサ（センサ５２１等）からの信号、及びＣＣＤ５５１からの信号・・・を入力するとともに、版用紙の給紙ローラのクラッチの駆動回路、印刷ドラムの駆動回路等、製版部の各種アクチュエータの駆動回路群への制御信号を出力する。ＣＰＵ４は、印刷部６の作動を制御するＣＰＵであり、印刷部６の各所に設置された各種センサからの信号を入力するとともに、印刷用紙の給紙ローラ等の各ローラのクラッチの駆動回路、圧接ローラ６０５の上下動を支配する駆動回路等、印刷部の各種アクチュエータの駆動回路への制御信号を出力する。」（４頁右上欄１６行〜右下欄１５行）
（サ）「また、キー１０３のＯＮエッジが検出された場合（Ｓ１０９；ＹＥＳ）は、製版指令表示ＬＥＤ１０３ａを点灯し、複写指令表示ＬＥＤ１０１ａ、自動指令表示ＬＥＤ１０２ａ、印刷指令表示ＬＥＤ１０４ａを消灯する（Ｓ１１１）。なお、キー１０４のＯＮエッジが検出された場合（Ｓ１１３；ＹＥＳ）は、版無し警告表示ＬＥＤ１０４ｃを判定し（Ｓ１１５）、印刷用の版が装着されている場合（Ｓ１１５；ＮＯ）には、印刷指令表示ＬＥＤ１０４ａを点灯し、複写指令表示ＬＥＤ１０１ａ、自動指令表示ＬＥＤ１０２ａ、製版指令表示ＬＥＤ１０３ａを消灯する（Ｓ１１７）。一方、ステップＳ１１５の判定の結果、印刷用の版が装着されていないとされた場合（Ｓ１１５；ＹＥＳ）には、版無し警告表示ＬＥＤ１０４ｃを点滅して警告する（Ｓ１１９）。なお、該版無し警告表示ＬＥＤ１０４ｃの点滅状態は、キー１０１、キー１０２、キー１０３のいずれかのキー入力によって解除される（Ｓ１２１、Ｓ１２３）。」（６頁右上欄５行〜左下欄４行）
（シ）第８図（Ａ）の「キー入力処理ルーチン」において、キー１０３（製版モード設定）のＯＮエッジが検出され、版有りで版無し警告表示ＬＥＤ１０４ｃが点滅しない場合には、リターン処理（解除）されること、また、キー１０４（印刷モード設定）のＯＮエッジが検出され、版無しで版無し警告表示ＬＥＤ１０４ｃが点滅した場合には、リターン処理（解除）されること、第１３図の「製版動作処理ルーチン」において、製版開始フラグのセット時に旧版がある場合、「廃棄中フラグ」がリセットされた後に製版動作が行われること、及び、第１４図の「印刷動作処理ルーチン」において、印刷ベルト５３１に印刷用版が巻きつけられていなければ版無し警告表示ＬＥＤ１０４ｃがＯＮしてリターン処理（解除）されること、等が記載されている。
　上記記載事項（ア）〜（シ）から、刊行物１からは、本件発明の各構成に対応する、以下のような構成が記載されているものと認められる。
１．本件発明１の構成（Ａ）（（Ａ−１）〜（Ａ−３）），（Ｂ），（Ｃ）について
ａ．構成（Ａ−１）の「ドラム部上の使用済みのマスターを排版し、新規マスターをドラム部に巻き付ける製版プロセス」の構成に対応する、「印刷ドラム５３２により駆動する印刷ベルト５３１上の使用済みの旧版を分離爪５３４により分離して収納ボックス５３５に収納し、製版部５においてＣＣＤ５５１から送信される画像信号に基づくサーマルヘッド５５２の駆動により原稿画像に対応する穿孔を形成して製版した新規版用紙を印刷ベルト５３１に巻き付ける製版プロセス」の構成。（記載事項（イ）（オ）参照。）
ｂ．構成（Ａ−２）の「給紙部からの用紙にマスター上に形成された画像を印刷する印刷プロセス」の構成に対応する、「用紙収納カセット６０１からの用紙に版用紙上に形成された画像を印刷する印刷プロセス」の構成。（記載事項（カ）（ク）参照。）
ｃ．構成（Ａ−３）の「（製版プロセスと印刷プロセスとを）操作部により選択実行する印刷機」の構成に対応する、「（製版プロセスと印刷プロセスとを）操作パネル１００に配置された製版モードの設定を指令する製版指令キー１０３と印刷モードの設定を指令する印刷指令キー１０４との選択押下によりＣＰＵ３或いはＣＰＵ４を介して選択実行する複写印刷装置」の構成。（記載事項（ウ）（キ）〜（ケ）（サ）参照。）
ｄ．構成（Ｂ）の「ドラム部に巻回されたマスターを検知する検知手段」の構成に対応する、「印刷ベルト５３１に巻回された使用済み或いは新規の版用紙が無いことを版無し警告表示ＬＥＤ１０４ｃを介して警告表示するための手段」の構成。また、版無し警告表示ＬＥＤ１０４ｃとの関係は明記されていないが、製版部５及び印刷部６の各所に各種センサを設置したことが記載されている。（記載事項（オ）（ク）（ケ）（コ）参照。）
ｅ．構成（Ｃ）の「操作部から製版プロセスが選択された場合、検知手段によってドラム部に使用済みマスターが巻回されていることを検知したときには、排版動作を指示する制御手段」の構成に対応する、「操作パネル１００から製版モードの設定による製版プロセスが選択された場合、使用済みの旧版有りと判断して版無し警告表示ＬＥＤ１０４ｃがＯＦＦのときには、使用済みの旧版の廃棄を開始する制御手段」の構成。（記載事項（イ）（オ）参照。）
２．本件発明２の構成（Ｄ）について
　構成（Ｄ）の「制御手段は、操作部から製版プロセスが選択され、排版動作が完了した後、ドラム部にマスターが残っていないことを検知したときには、製版動作を指示する」の構成に対応する、「制御手段は、操作パネル１００から製版指令キー１０３の押下により製版プロセスが選択されたとき、製版開始フラグのセットを条件として版無し警告表示ＬＥＤ１０４ｃを判定し、使用済みの旧版有りと判断して版無し警告表示ＬＥＤ１０４ｃがＯＦＦのときには、使用済みの旧版の廃棄動作が完了した後、切り換えミラー３５１がディジタル光学系選択時の状態になって製版開始フラグがリセットし、用紙カセット５０１からの新規版用紙の給紙を開始するとともに光学系を制御して製版部５において製版する」の構成。（記載事項（イ）（オ）参照。）
３．本件発明３の構成（Ｅ）について
　構成（Ｅ）の「制御手段は、排版動作後にまだ使用済みマスターが巻回されていることを検知したときは警告表示を行うとともに製版動作が停止させる」の構成に対応する、「制御手段は、操作パネル１００から製版指令キー１０３の押下により製版プロセスが選択されたとき、製版開始フラグのセットを条件として版無し警告表示ＬＥＤ１０４ｃを判定し、使用済みの旧版有りと判断して版無し警告表示ＬＥＤ１０４ｃがＯＦＦのときは、使用済みの旧版の廃棄動作が完了した後に廃棄中フラグのリセットにより、製版開始フラグがリセットされ用紙カセット５０１からの新規版用紙の給紙を開始するとともに光学系が制御され製版部５において製版する」の構成。（記載事項（イ）（オ）参照。）
４．本件発明４の構成（Ｆ）について
　構成（Ｆ）の「制御手段は、操作部から印刷プロセスが選択された場合、検知手段によってドラム部にマスターが巻回されていることを検知したときには、印刷動作を指示する」の構成に対応する「制御手段は、操作パネル１００上の印刷指令キー１０４の押下により印刷プロセスが選択された場合、印刷ベルト５３１上に印刷用の版が有りと判断して版無し警告表示ＬＥＤ１０４ｃがＯＦＦのときには、スタートフラグセットの判定により、スタートフラグをリセットするとともに、印刷開始フラグをセットし、それに対応して印刷用紙の給紙口としてカセット６０１の給紙口を選択して印刷処理を実行する」の構成。（記載事項（ク）〜（サ）参照。）
５．本件発明５の構成（Ｇ）について
　構成（Ｇ）の「制御手段は、操作部から印刷プロセスが選択された場合、検知手段によってドラム部にマスターが巻回されていることを検知できなかったときには、警告表示を行うとともに印刷動作を停止させる」の構成に対応する、「制御手段は、操作パネル１００上の印刷指令キー１０４の押下により印刷プロセスが選択された場合、印刷ベルト５３１上に印刷用の版が無しと判断したときには、版無し警告表示ＬＥＤ１０４ｃを点滅表示して警告するとともに、リターン処理（解除）する」の構成。（記載事項（ク）〜（サ）参照。）
（２）刊行物２〔特開昭５７−１５９６７号公報（同、甲第２号証）〕
　刊行物２には、版胴にマスタがセットされているかどうかを検知して給排版を制御するようにした印刷機における給排版制御装置に関する発明が記載され、特に、版胴６にマスタ７が巻回されているときには、マスタ検知信号発生部材１１，２１からマスタ検知信号を発生し、この状態で給版指令信号が発生しても給版作動部材２には信号が入力せず給版作動が行われず２重に給版されることがなく、同状態でエンドサイクル指令信号が発生したときに排版動作を含むエンドサイクル作動を行うが、それにより排版されない場合には排版ミス検知部材５に信号が入力して運転が停止され、また、版胴６にマスタ７が巻回されていないときには、マスタ検知信号発生部材１１，２１からマスタ検知信号が発生せず、この状態で給版指令信号が発生すると給版作動部材２に信号が入力して給版作動が行われるが、エンドサイクル指令信号が発生しても排版ミス検知部材５に信号が入力せず運転が停止されることなく排版動作を含むエンドサイクル作動が行われる印刷機における給排版制御装置が図面とともに記載されている。（２頁左上欄４〜６行、同頁左下欄１８行〜３頁左上欄１６行、第１図参照。）　
（３）刊行物３〔実願昭６１−１９６６３号（実開昭６２−１３１８５４号）のマイクロフィルム（同、甲第３号証）〕
　刊行物３には、謄写輪転機用版胴の外周面に捲着された孔版原紙を確認する装置に関する発明が記載され、特に、版胴２の外周面に孔版原紙３が捲着されているときには、センサ４からの出力信号により制御部５を介して版胴２の回転を可能にし、孔版原紙３が捲着されていないときには、センサ４から出力信号が発生せず制御部５を介して版胴２の回転を規制する孔版原紙の捲着確認装置が図面とともに記載されている。（１頁１３〜１４行、３頁１０〜１８行、６頁１０行〜７頁１１行、第１，３図参照。）
（４）刊行物４〔（社）日本印刷学会編，技報堂出版（株），昭和５８年５月１日発行，「印刷工学便覧」，「１７．３．２　謄写印刷」の項（同、参考資料）〕
　１１０１〜１１０２頁には、輪転式謄写印刷機に関する技術が記載されており、その「ｂ．印刷機」の項において、輪転式謄写印刷機には構造上、本件発明のような単胴式（図−１７．２０）と、刊行物１に記載された発明のような複胴式（図−１７．２１）とがあることが記載されている。
　　　　　
〔３〕本件発明１について
（１）刊行物１に記載された発明
　上記〔２〕（１）１．「本件発明１の構成（Ａ）（（Ａ−１）〜（Ａ−３）），（Ｂ），（Ｃ）について」の項、ａ．〜ｅ．の記載からみて、刊行物１には、
　「印刷ドラム５３２により駆動する印刷ベルト５３１上の使用済みの旧版を分離爪５３４により分離して収納ボックス５３５に収納し、製版部５においてＣＣＤ５５１から送信される画像信号に基づくサーマルヘッド５５２の駆動により原稿画像に対応する穿孔を形成して製版した新規版用紙を印刷ベルト５３１に巻き付ける製版プロセスと、用紙収納カセット６０１からの用紙に版用紙上に形成された画像を印刷する印刷プロセスとを操作パネル１００に配置された製版モードの設定を指令する製版指令キー１０３と印刷モードの設定を指令する印刷指令キー１０４との選択押下によりＣＰＵ３或いはＣＰＵ４を介して選択実行する複写印刷装置において、
　印刷ベルト５３１に巻回された使用済み或いは新規版用紙が無いことを版無し警告表示ＬＥＤ１０４ｃを介して警告表示するための手段と、
　前記操作パネル１００から製版モードの設定による製版プロセスが選択された場合、版無し警告表示ＬＥＤ１０４ｃを介して警告表示できるようにするための手段によって前記印刷ベルト５３１に使用済みの旧版有りと判断して版無し警告表示ＬＥＤ１０４ｃがＯＦＦのときには、使用済みの旧版の廃棄を開始する制御手段と、
　を備えたことを特徴とする複写印刷装置。」が記載されているものと認められる。
（２）本件発明１と刊行物１に記載された発明との対比・判断
１．刊行物１に記載された発明の「用紙収納カセット６０１」，「操作パネル１００」，「複写印刷装置」，「使用済みの旧版」，「製版部５においてＣＣＤ５５１から送信される画像信号に基づくサーマルヘッド５５２の駆動により原稿画像に対応する穿孔を形成して製版した新規版用紙」が、本件発明１の「給紙部」，「操作部」，「印刷機」，「使用済みのマスター」，「新規マスター」に、それぞれ、相当し、
　また、刊行物１に記載された発明の「使用済みの旧版を分離爪５３４により分離して収納ボックス５３５に収納し、製版部５においてＣＣＤ５５１から送信される画像信号に基づくサーマルヘッド５５２の駆動により原稿画像に対応する穿孔を形成して製版した新規版用紙を巻き付ける製版プロセス」，「用紙収納カセット６０１からの用紙に版用紙上に形成された画像を印刷する印刷プロセス」の構成が、本件発明１の「使用済みのマスターを排版し、新規マスターを巻き付ける製版プロセス」，「給紙部からの用紙にマスター上に形成された画像を印刷する印刷プロセス」の構成に、それぞれ、相当し、
　さらに、刊行物１に記載された発明の「操作パネル１００に配置された製版モードの設定を指令する製版指令キー１０３と印刷モードの設定を指令する印刷指令キー１０４との選択押下によりＣＰＵ３或いはＣＰＵ４を介して選択実行する複写印刷装置」の構成が、本件発明１の「操作部により選択実行する印刷機」の構成に相当するから、
　本件発明１と刊行物１に記載された発明とは、後述するようにマスターを巻き付けるマスター担持手段（本件発明の「ドラム部」と刊行物１に記載された発明の「印刷ベルト５３１」をこのように総称した。以下同様。）の点で構成上の相違があるものの、ともに同様の製版プロセス及び印刷プロセスを実行できる印刷機である。
２．ところで、刊行物１に記載された発明の「印刷ベルト５３１に巻回された使用済み或いは新規版用紙が無いことを版無し警告表示ＬＥＤ１０４ｃを介して警告表示するための手段」の構成について詳述すると、マスター担持手段（印刷ベルト５３１）に巻回されたマスター（使用済み或いは新規版用紙）が無いことを版無し警告表示ＬＥＤ１０４ｃを介して警告表示する際に、マスター（使用済み或いは新規版用紙）が装着されているか否かを判定するステップ（例えば、第１４図のステップ「Ｓ６０１」，記載事項（ク）参照。）を経るものであるから、マスター担持手段（印刷ベルト５３１）に何らかの検知手段を備えることが必須であると認められるところ、
　製版部５及び印刷部６の各所に設置された各種センサのうちの何れかが該検知手段に該当するか否かについて刊行物１には明記されていないが、マスター担持手段に検知手段を設けてマスターのセットを確認する程度のことは当該技術分野では普通に行われていることであるし（例．刊行物２を参照。）、また、刊行物１に記載された発明は、各種センサからの信号を製版部の作動を制御するＣＰＵ３と印刷部の作動を制御するＣＰＵ４とに入力するようになっており、しかも、両制御に版無し警告表示ＬＥＤ１０４ｃが関わるものであるから、各種センサのうちの何れかが該警告表示させる前段階におけるマスター（使用済み或いは新規版用紙）の検出手段として機能していることは当業者にとって明らかであるから、
　刊行物１に記載された発明は、該「警告表示するための手段」としての検出手段を実質的に備えているものと認められ、刊行物１に記載された発明の「印刷ベルト５３１（マスター担持手段）に巻回された使用済み或いは新規版用紙が無いことを版無し警告表示ＬＥＤ１０４ｃを介して警告表示するための手段」の構成は、本件発明１の「ドラム部（マスター担持手段）に巻回されたマスターを検知する検知手段」の構成に相当する。
３．そして、刊行物１に記載された発明の「操作パネル１００から製版モードの設定による製版プロセスが選択された場合、版無し警告表示ＬＥＤ１０４ｃを介して警告表示できるようにするための手段、即ち、旧版或いは新規版用紙（マスター）が装着されているか否かの検出を行う検出手段によってマスター担持手段（印刷ベルト５３１）に使用済みの旧版有りと判断して版無し警告表示ＬＥＤ１０４ｃがＯＦＦのときには使用済みの旧版の廃棄を開始する制御手段」の構成において、「旧版の廃棄を開始する」は「排版動作を指示する」と同義であるから、該構成は本件発明１の「操作部から製版プロセスが選択された場合、検知手段によってマスター担持手段（ドラム部）に使用済みマスターが巻回されていることを検知したときには、排版動作を指示する制御手段」の構成に相当する。
４．したがって、本件発明１と刊行物１に記載された発明とは、「ドラム部上の使用済みのマスターを排版し、新規マスターをマスター担持手段（ドラム部）に巻き付ける製版プロセスと、給紙部からの用紙にマスター上に形成された画像を印刷する印刷プロセスとを操作部により選択実行する印刷機において、マスター担持手段（ドラム部）に巻回されたマスターを検知する検知手段と、前記操作部から製版プロセスが選択された場合、前記検知手段によって前記マスター担持手段（ドラム部）に使用済みマスターが巻回されていることを検知したときには、排版動作を指示する制御手段と、を備えたことを特徴とする印刷機。」の点で構成が一致し、マスター担持手段が、本件発明１は「ドラム部」であるのに対して、刊行物１に記載された発明は「印刷ドラム５３２により駆動する印刷ベルト５３１」である点で構成が相違する。
５．そこで、上記構成の相違点について検討すると、刊行物４には、輪転式謄写印刷機において、マスター担持手段には単胴式と複胴式とがあることが周知慣用である旨記載されており、これによれば、マスター担持手段として本件発明１のようなドラム部とするか刊行物１に記載された発明のような印刷ベルトとするかは当業者が随時選択しうる事項であると認められ、当該構成の相違は周知慣用技術相互の置換にすぎないものであって、しかも、これにより新たな効果を奏するものではない。　　　　　
（３）結論
　結局、本件発明１は、刊行物４の記載事項を参酌すれば、刊行物１に記載された発明と実質的に同一のものと認められるから、特許法第２９条第１項第３号に規定する発明に該当し、特許を受けることができない。
　（尚、刊行物１に記載された発明における検知手段の存在について、特許権者は特許異議意見書中において「推測に基づくもの」であることを前提として検知手段が不存在である旨述べているが、上記（２）２．で述べたとおり、刊行物１に記載された発明には検出手段を実質的に備えていると認められるから、このような特許権者の主張は採用できない。）
　　　　　
〔４〕本件発明２について
（１）本件発明２は、本件発明１における「制御手段」の構成を、「操作部から製版プロセスが選択され、排版動作が完了した後、ドラム部にマスターが残っていないことを検知したときには、製版動作を指示する」（構成（Ｄ））旨限定したものである。
（２）而して、刊行物１には、本件発明１と実質的に同一の発明が開示されていることは前述したとおりであり、また、上記〔２〕（１）２．「本件発明２の構成（Ｄ）について」の項の記載からみて、「制御手段は、操作パネル１００から製版指令キー１０３の押下により製版プロセスが選択されたとき、製版開始フラグのセットを条件として版無し警告表示ＬＥＤ１０４ｃを判定し、使用済みの旧版有りと判断して版無し警告表示ＬＥＤ１０４ｃがＯＦＦのとき、即ち、巻回されていることを検知したときには、使用済みの旧版の廃棄動作が完了した後、切り換えミラー３５１がディジタル光学系選択時の状態になって製版開始フラグがリセットし、用紙カセット５０１からの新規版用紙の給紙を開始するとともに光学系を制御して製版部５において製版する」との構成が開示されており、該構成は、本件発明２の上記限定された構成（構成（Ｄ））に相当するから、本件発明２は刊行物１に記載された発明と実質的に同一のものと認められる。
（３）ところで、刊行物１に記載された発明においては、使用済みの旧版の廃棄動作の完了を検知手段により検知するか否かは明記されていないが、該検知手段による検出は、〔３〕「本件発明１について」の項での検討を参酌すれば、当然に行われているものと認められ、仮に、そうでなくても、刊行物２には、上記〔２〕（２）の記載からみて、印刷機における給排版制御装置であって、版胴６上にマスタ７がセットされているか否かをマスタ検知信号発生部材１１，２１が検知し、マスタ７がセットされているときは排版動作を行い、排版動作が完了した後に版胴６上にマスタ７がセットされていないことを検知したときに給版作動が行われる構成が開示され、排版動作の完了後にマスタ検知信号発生部材１１，２１により版胴６上のマスタ７をが検知し、その後に次の動作が行われる旨の技術が開示されており、刊行物１に記載された発明と刊行物２に記載された発明とはともにマスターを検知してその有無によりその後の動作を制御する印刷機に関するものであって、刊行物２に記載された発明の技術を刊行物１に記載された発明に適用することは当業者にとって容易に想到しうることと認められるから、本件発明２は刊行物１，２に記載された発明に基づいて当業者が容易に発明をすることができたものと認められる。
（４）結局、本件発明２は、刊行物４の記載事項を参酌すれば、刊行物１に記載された発明と実質的に同一のものと認められ、また、そうでなくても、刊行物１に記載された発明に刊行物２，４に記載された発明の技術を適用することにより当業者が容易に発明をすることができたものと認められるから、特許法第２９条第１項第３号に規定する発明に該当し、或いは、同法第２９条第２項の規定に違反するものであり、特許を受けることができない。
　　　　　
〔５〕本件発明３について
（１）本件発明３は、本件発明２における「制御手段」の構成を、「排版動作後にまだ使用済みマスターが巻回されていることを検知したときは警告表示を行うとともに製版動作が停止させる」（構成（Ｅ））旨限定したものである。
（２）而して、刊行物２には、本件発明２の限定された構成（構成（Ｄ））と実質的に同一の構成が開示されていることは前述したとおりであり、刊行物１に記載された発明に対する刊行物２に記載された発明の技術の適用容易性の判断についても、上記〔４〕４．で述べたとおりである。
（３）ところで、刊行物１には、本件発明１と実質的に同一の発明が開示されていることは前述したとおりであり、しかも、上記〔２〕（１）３．「本件発明３の構成（Ｅ）について」の項の記載からみて、「制御手段は、操作パネル１００から製版指令キー１０３の押下により製版プロセスが選択されたとき、製版開始フラグのセットを条件として版無し警告表示ＬＥＤ１０４ｃを判定し、使用済みの旧版有りと判断して版無し警告表示ＬＥＤ１０４ｃがＯＦＦのとき、即ち、巻回されていることを検知したときは、版無し警告表示ＬＥＤ１０４ｃを表示させず、使用済みの旧版の廃棄動作が完了した後に廃棄中フラグのリセットにより、製版開始フラグがリセットされ用紙カセット５０１からの新規版用紙の給紙を開始するとともに光学系が制御され製版部５において製版する、即ち、廃棄中フラグがリセットしなければ製版動作が行われない」の構成が開示されており、該構成において、「版無し警告表示ＬＥＤ１０４ｃを表示させず」は「警告表示を行う」と同義であり、「製版動作が行われない」は「製版動作を停止させる」と同義であるから、該構成は、本件発明３の上記限定された構成（構成（Ｅ））に相当する。
（４）結局、本件発明３は、少なくとも、刊行物１に記載された発明に刊行物２，４に記載された発明の技術を適用することにより当業者が容易に発明をすることができたものと認められるから、特許法第２９条第２項の規定に違反するものであり、特許を受けることができない。
　　　　　　
〔６〕本件発明４について
（１）本件発明４は、本件発明１における「制御手段」の構成を、「操作部から印刷プロセスが選択された場合、検知手段によってドラム部にマスターが巻回されていることを検知したときには、印刷動作を指示する」（構成（Ｆ））旨限定したものである。
（２）而して、刊行物１には、本件発明１と実質的に同一の発明が開示されていることは前述したとおりであり、しかも、上記〔２〕（１）４．「本件発明４の構成（Ｆ）について」の項の記載からみて、「制御手段は、操作パネル１００上の印刷指令キー１０４の押下により印刷プロセスが選択された場合、印刷ベルト５３１上に印刷用の版が有りと判断して版無し警告表示ＬＥＤ１０４ｃがＯＦＦのとき、即ち、巻回されていることを検知したときには、スタートフラグセットの判定により、スタートフラグをリセットするとともに、印刷開始フラグをセットし、それに対応して印刷用紙の給紙口としてカセット６０１の給紙口を選択して印刷処理を実行する」の構成が開示されており、該構成において、「印刷処理を実行する」は「印刷動作を指示する」と同義であるから、該構成は、本件発明４の上記限定された構成（構成（Ｆ））に相当する。
（３）また、刊行物３には、上記〔２〕（３）の記載からみて、謄写輪転機用版胴の外周面に捲着された孔版原紙を確認する装置であって、センサ４により版胴２の外周面に孔版原紙３が捲着されていることを検知したときには、版胴２の回転を可能にし、センサ４により孔版原紙３が捲着されていないことを検知したときには、版胴２の回転を規制する旨の構成が開示されており、該構成は、本件発明４の上記限定された構成（構成（Ｆ））と同等の構成であり、従来周知技術であると云える。
（４）結局、本件発明４は、刊行物３，４の記載事項を参酌すれば、刊行物１に記載された発明と実質的に同一のものと認められるから、特許法第２９条第１項第３号に規定する発明に該当し、特許を受けることができない。
　　　　　　
〔７〕本件発明５について
（１）本件発明５は、本件発明４における「制御手段」の構成を、「操作部から印刷プロセスが選択された場合、検知手段によってドラム部にマスターが巻回されていることを検知できなかったときには、警告表示を行うとともに印刷動作を停止させる」（構成（Ｇ））旨限定したものである。
（２）而して、刊行物１には、本件発明１，４と実質的に同一の発明が開示されていることは前述したとおりであり、しかも、上記〔２〕（１）５．「本件発明５の構成（Ｇ）について」の項の記載からみて、「制御手段は、操作パネル１００上の印刷指令キー１０４の押下により印刷プロセスが選択された場合、印刷ベルト５３１上に印刷用の版が無しと判断したとき、即ち、巻回されていることを検知できなかったときには、版無し警告表示ＬＥＤ１０４ｃを点滅表示して警告するとともに、リターン処理（解除）する」の構成が開示されており、該構成において、「点滅表示して警告する」は「警告表示を行う」と同義であり、「リターン処理（解除）する」は「印刷動作を停止させる」と同義であるから、該構成は、本件発明５の上記限定された構成（構成（Ｇ））に相当する。
（３）結局、本件発明５は、刊行物３，４の記載事項を参酌すれば、刊行物１に記載された発明と実質的に同一のものと認められるから、特許法第２９条第１項第３号に規定する発明に該当し、特許を受けることができない。
　　　　　　　　　　　　　
　　　　　
［むすび］
　以上のとおりであるから、本件発明１，４，５は、特許法第２９条第１項第３号に規定する発明に該当し、また、本件発明２は、特許法第２９条第１項第３号に規定する発明に該当し或いは同法第２９条第２項の規定に違反するものであり、さらに、本件発明３は、特許法第２９条第２項の規定に違反するものであり、それぞれ、特許を受けることができない。
　したがって、本件発明１〜５についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１月２６日（２００１．１．２６）